(57)【要約】【課題】ユーザインタフェース画面を使用したユーザの接続操作の便宜を図る。【解決手段】所定数のソース機器と所定数のデストネーション機器から任意のソース機器とデストネーション機器の組み合わせを指定して接続を操作するためのユーザインタフェース画面を表示する。このユーザインタフェース画面上の操作に基づいてソース機器とデストネーション機器の接続を制御する。ユーザインタフェース画面には、行列の一の方向に複数のソース機器が配置され、他の方向に複数のデストネーション機器が配置され、予め登録されたソース機器グループとデストネーション機器グループの対応する所定数の機器同士の交点はグループ化される。ユーザインタフェース画面のグループ化された交点の選択操作があるとき、所定数の機器同士が同時に接続されるように制御する。【選択図】図５
2015198403.tif 000002
【特許請求の範囲】
【請求項１】
ネットワークに接続されたソース機器とデストネーション機器との接続を制御する接続制御装置であって、
所定数の上記ソース機器と所定数の上記デストネーション機器から任意のソース機器とデストネーション機器の組み合わせを指定して接続を操作するためのユーザインタフェース画面を表示する表示制御部と、
上記ユーザインタフェース画面上の操作に基づいてソース機器とデストネーション機器の接続を制御する接続制御部を備え、
上記ユーザインタフェース画面には、行列の一の方向に複数のソース機器が配置され、他の方向に複数のデストネーション機器が配置され、
予め登録されたソース機器グループとデストネーション機器グループの対応する所定数の機器同士の交点はグループ化され、
上記接続制御部は、
上記ユーザインタフェース画面の上記グループ化された交点の選択操作があるとき、上記所定数の機器同士が同時に接続されるように制御する
接続制御装置。
【請求項２】
上記表示制御部は、
上記グループ化された交点にホバー操作がされるとき、上記ユーザインタフェース画面に該グループ化された交点の範囲を示す表示を行う
請求項１に記載の接続制御装置。
【請求項３】
上記表示制御部は、
上記グループ化された交点にホバー操作がされるとき、上記グループ化された交点に対応した上記ソース機器グループおよび上記デストネーション機器グループに含まれる各機器の表示態様を変更する
請求項２に記載の接続制御装置。
【請求項４】
上記表示制御部は、
上記グループ化された交点の選択操作がされるとき、上記ユーザインタフェース画面における該グループ化された交点の範囲を示す表示を上記ホバー操作がされたときとは異なるように変更する
請求項３に記載の接続制御装置。
【請求項５】
上記表示制御部は、
上記ソース機器グループ内にネットワークから切断されたソース機器があるとき、または上記デストネーション機器グループ内にネットワークから切断されたデストネーション機器があるとき、上記グループ化された交点の選択操作がなされた後の上記ユーザインタフェース画面における該グループ化された交点の範囲を示す表示を、全ての機器がネットワークにつながっているときとは異なる態様に変更する
請求項４に記載の接続制御装置。
【請求項６】
上記表示制御部は、
上記ソース機器グループ内のソース機器と上記デストネーション機器グループ内の所定のデストネーション機器との間の接続が切断されるとき、上記グループ化された交点の選択操作がなされた後の上記ユーザインタフェース画面における該グループ化された交点の範囲を示す表示を、全ての機器同士が接続されているときとは異なる態様に変更する
請求項４に記載の接続制御装置。
【請求項７】
上記ソース機器グループまたは上記デストネーション機器グループにおける機器の順を入れ替える編集部をさらに備える
請求項１に記載の接続制御装置。
【請求項８】
上記表示制御部は、
上記ユーザインタフェース画面に、上記複数のソース機器のそれぞれに対応して、タリーランプを表示する
請求項１に記載の接続制御装置。
【請求項９】
ネットワークに接続されたソース機器とデストネーション機器との接続を制御する接続制御方法であって、
所定数の上記ソース機器と所定数の上記デストネーション機器から任意のソース機器とデストネーション機器の組み合わせを指定して接続を操作するためのユーザインタフェース画面を表示する表示制御ステップと、
上記ユーザインタフェース画面上の操作に基づいてソース機器とデストネーション機器の接続を制御する接続制御ステップを有し、
上記ユーザインタフェース画面には、行列の一の方向に複数のソース機器が配置され、他の方向に複数のデストネーション機器が配置され、
予め登録されたソース機器グループとデストネーション機器グループの対応する所定数の機器同士の交点はグループ化され、
上記接続制御ステップでは、
上記ユーザインタフェース画面の上記グループ化された交点の選択操作があるとき、上記所定数の機器同士が同時に接続されるように制御する
接続制御方法。
【発明の詳細な説明】
【技術分野】
【０００１】
本技術は、接続制御装置および接続制御方法に関し、詳しくは、ネットワークに接続されたソース機器とデストネーション機器との接続を制御する接続制御装置および接続制御方法に関する。
【背景技術】
【０００２】
従来、スタジオ等において、映像信号を出力するソース機器と、映像信号を受け取って記録や表示を行うデストネーション機器とをイーサネットなどのネットワークに接続し、ソース機器とデストネーション機器との接続を、そのネットワークに接続されたパーソナルコンピュータやタブレット等から制御することが知られている。例えば、ソース機器はカメラや映像再生機器などであり、デストネーション機器はモニタや映像記録機器などである。
【０００３】
このような接続制御を、所定数のソース機器とデストネーション機器とから任意のソース機器とデストネーション機器の接続を操作するためのユーザインタフェース画面上で簡単に行い得るようにすることが考えられている。例えば、特許文献１には、ユーザインタフェース画面には、行列の一の方向に複数のソース機器（入力リソース）が配置され、他の方向に複数のデストネーション機器（出力リソース）が配置され、ユーザによる交点（クロスポイント）の指定により、所望の接続を達成できることが記載されている。
【先行技術文献】
【特許文献】
【０００４】
【特許文献１】特開２００４-０３２０４１号公報
【発明の概要】
【発明が解決しようとする課題】
【０００５】
本技術の目的は、ユーザインタフェース画面を使用したユーザの接続操作の便宜を図ることにある。
【課題を解決するための手段】
【０００６】
本技術の概念は、
ネットワークに接続されたソース機器とデストネーション機器との接続を制御する接続制御装置であって、
所定数の上記ソース機器と所定数の上記デストネーション機器から任意のソース機器とデストネーション機器の組み合わせを指定して接続を操作するためのユーザインタフェース画面を表示する表示制御部と、
上記ユーザインタフェース画面上の操作に基づいてソース機器とデストネーション機器の接続を制御する接続制御部を備え、
上記ユーザインタフェース画面には、行列の一の方向に複数のソース機器が配置され、他の方向に複数のデストネーション機器が配置され、
予め登録されたソース機器グループとデストネーション機器グループの対応する所定数の機器同士の交点はグループ化され、
上記接続制御部は、
上記ユーザインタフェース画面の上記グループ化された交点の選択操作があるとき、上記所定数の機器同士が同時に接続されるように制御する
接続制御装置にある。
【０００７】
本技術は、ネットワークに接続されたソース機器とデストネーション機器との接続を制御する接続制御装置である。例えば、接続制御装置は、ネットワークに接続されるパーソナルコンピュータやタブレットなどで構成される。表示制御部により、所定数のソース機器と所定数のデストネーション機器から任意のソース機器とデストネーション機器の組み合わせを指定して接続を操作するためのユーザインタフェース画面が表示される。このインタフェース画面は、例えば、パーソナルコンピュータに接続されたモニタやタブレットの表示部に表示される。そして、接続制御部により、ユーザインタフェース画面上の操作に基づいてソース機器とデストネーション機器の接続が制御される。
【０００８】
ユーザインタフェース画面には、行列の一の方向に複数のソース機器が配置され、他の方向に複数のデストネーション機器が配置される。例えば、ユーザインタフェース画面の上部または下部に水平方向に複数のソース機器が並べて配置される。この場合、各ソース機器はアイコンで表示され、機器名などの表示も可能とされている。また、このユーザインタフェース画面の右部または左部に垂直方向に複数のデストネーション機器が配置される。この場合、各デストネーション機器はアイコンで表示され、機器名などの表示も可能とされている。
【０００９】
予め登録されるソース機器グループとデストネーション機器グループの対応する所定数の機器同士の交点（クロスポイント）がグループ化される。そして、接続制御部により、ユーザインタフェース画面のグループ化された交点の選択操作があるとき、所定数の機器同士を同時に接続することが行われる。例えば、選択操作は、マウスのクリック操作、タッチパネル上でのタッチ操作等により行われる。
【００１０】
このように本技術においては、予め登録されたソース機器グループとデストネーション機器グループの対応する所定数の機器同士の交点がグループ化されており、そのグループ化された交点が選択操作されるとき、対応する所定数の機器同士が同時に接続されるものである。そのため、ユーザインタフェース画面を使用したユーザの接続操作を所定数だけ繰り返すことが必要なく、ユーザの便宜を図ることができる。
【００１１】
なお、本技術において、例えば、表示制御部は、グループ化された交点にホバー操作がされるとき、ユーザインタフェース画面にこのグループ化された交点の範囲を示す表示を行う、ようにされてもよい。この場合、ユーザは、グループ化された交点の選択操作を行う前に、グループ化された交点の範囲、従ってその選択操作で接続されるソース機器グループおよびデストネーション機器グループの確認が容易となる。
【００１２】
この場合、例えば、表示制御部は、グループ化された交点にホバー操作がされるとき、このグループ化された交点に対応したソース機器グループおよびデストネーション機器グループに含まれる各機器の表示態様を変更する、ようにされてもよい。これにより、グループ化された交点の範囲の選択操作で接続されるソース機器グループおよびデストネーション機器グループの確認を効率よく行うことができる。
【００１３】
そして、この場合、例えば、表示制御部は、グループ化された交点の選択操作がされるとき、ユーザインタフェース画面におけるこのグループ化された交点の範囲を示す表示をホバー操作がされたときとは異なるように変更する、ようにされてもよい。この表示変更により、ユーザは、このグループ化された交点の選択操作が完了したことを容易に認識可能となる。
【００１４】
また、この場合、表示制御部は、ソース機器グループ内にネットワークから切断されたソース機器があるとき、またはデストネーション機器グループ内にネットワークから切断されたデストネーション機器があるとき、グループ化された交点の選択操作がなされた後の上記ユーザインタフェース画面におけるこのグループ化された交点の範囲を示す表示を、全ての機器がネットワークに接続されているときとは異なる態様に変更する、ようにされてもよい。これにより、ユーザは、ソース機器グループ内あるいはデストネーション機器グループ内のいずれかの機器がネットワークから切断されていることを容易に知ることができる。
【００１５】
また、この場合、表示制御部は、ソース機器グループ内の所定のソース機器とデストネーション機器グループ内の所定のデストネーション機器との間の接続が切断されるとき、グループ化された交点の選択操作がなされた後のユーザインタフェース画面におけるこのグループ化された交点の範囲を示す表示を、全ての機器同士が接続されているときとは異なる態様に変更する、ようにされてもよい。これにより、ユーザは、ソース機器グループおよびデストネーション機器グループに関係する所定のソース機器とデストネーション機器との接続が切断されたことを容易に知ることができる。
【００１６】
また、本技術において、例えば、ソース機器グループまたはデストネーション機器グループにおける機器の順を入れ替える編集部をさらに備える、ようにされてもよい。この場合、ソース機器グループ内の各ソース機器とデストネーション機器内の各デストネーション機器との接続関係を変更することが可能となる。
【００１７】
また、表示制御部は、ユーザインタフェース画面に、複数のソース機器のそれぞれに対応して、タリーランプを表示する、ようにされてもよい。これにより、ユーザは、各ソース機器から映像信号が出力されているか否かを容易に確認可能となる。
【発明の効果】
【００１８】
本技術によれば、ユーザインタフェース画面を使用したユーザの接続操作の便宜を図ることができる。なお、ここに記載された効果は必ずしも限定されるものではなく、本開示中に記載されたいずれかの効果であってもよい。
【図面の簡単な説明】
【００１９】
【図１】実施の形態としての映像システムの構成例を示すブロック図である。
【図２】接続制御装置を構成するパーソナルコンピュータの構成例を示すブロック図である。
【図３】接続制御装置を構成するパーソナルコンピュータにおけるＣＰＵの機能構成を示す図である。
【図４】任意のソース機器とデストネーション機器の組み合わせを指定して接続を操作するためのユーザインタフェース画面の一つであるルーティング画面の一例を示す図である。
【図５】任意のソース機器とデストネーション機器の組み合わせを指定して接続を操作するためのユーザインタフェース画面の一つであるグループルーティング画面の一例を示す図である。
【図６】ユーザインタフェース画面の一つである機器グループ編集画面の一例を示す図である。
【図７】任意のソース機器とデストネーション機器の組み合わせを指定して接続を操作するためのユーザインタフェース画面の一つであるセッションリスト画面の一例を示す図である。
【図８】ユーザインタフェース画面の一つであるトポロジーマップ画面の一例を示す図である。
【発明を実施するための形態】
【００２０】
以下、発明を実施するための形態（以下、「実施の形態」とする）について説明する。なお、説明は以下の順序で行う。
１．実施の形態
２．変形例
【００２１】
＜１．実施の形態＞
［映像システム］
図１は、実施の形態としての放送局内の映像システム１０の構成例を示している。この映像システム１０は、スタジオ１内に配置されたソース機器およびデストネーション機器と、スタジオ２内に配置されたソース機器およびデストネーション機器からなっている。各機器は、放送局内のネットワークに接続されている。ここで、ソース機器は映像信号を出力する映像機器であって、例えば、カメラ、ＶＴＲ等の映像再生機器が該当する。デストネーション機器は、映像信号を受け取って記録や表示を行う映像機器であって、例えば、モニタ、ビデオサーバ等の映像記録機器が該当する。
【００２２】
スタジオ１には、カメラ１０１，１０２と、映像再生機器１０３と、モニタ１０４，１０５と、映像記録機器１０６と、スイッチングハブ１０７が配置されている。カメラ、映像再生機器、モニタ、映像記録機器の各機器はそれぞれネットワークケーブルを通じてスイッチングハブ１０７に接続されている。また、スタジオ２には、カメラ２０１，２０２と、モニタ２０３，２０４と、スイッチングハブ２０５が配置されている。カメラ、モニタの各機器はそれぞれネットワークケーブルを介してスイッチハブ２０５に接続されている。また、スタジオ１、スタジオ２の外部にスイッチングハブ３０１が配置されており、スタジオ１内のスイッチングハブ１０７およびスタジオ２内のスイッチングハブ２０５はそれぞれネットワークケーブルを介してスイッチングハブ３０１に接続されている。
【００２３】
この映像システム１０内のソース機器とデストネーション機器との接続の制御は、接続制御装置から放送局内のネットワークにアクセスすることで、可能とされている。接続制御装置は、例えば、パーソナルコンピュータやタブレットなどにより構成される。図示の例では、スタジオ１内に、例えば、カメラマンやディレクタが扱うタブレット１０８が示されている。また、図示の例では、スタジオ２内に、例えば、カメラマンやディレクタが扱うタブレット２０６が示されている。これらのタブレット１０８，２０６は、放送局内のネットワークに無線で接続される。
【００２４】
また、図示の例では、スタジオ１、スタジオ２の外部のスイッチングハブ３０１にネットワークケーブルを介して接続された、例えばディレクタが扱うパーソナルコンピュータ３０２が示されている。また、図示の例では、放送局の外部に、インターネット４０１を介してスイッチングハブ３０１にネットワークケーブルを介して接続された、例えばディレクタが扱うパーソナルコンピュータ４０２が示されている。
【００２５】
接続制御装置（タブレット１０８，２０６、パーソナルコンピュータ３０２，４０２）は、モニタあるいは表示部に、放送局内のネットワークに接続されている所定数のソース機器と所定数のデストネーション機器から任意のソース機器とデストネーション機器の組み合わせを指定して接続を操作するためのユーザインタフェース画面を表示する。そして、接続制御装置は、そのユーザインタフェース画面上の操作に基づいて、指定された組み合わせのソース機器とデストネーション機器が接続されるように制御する。
【００２６】
図２は、接続制御装置としてのパーソナルコンピュータ３１０の構成例を示している。なお、タブレットの構成は、パーソナルコンピュータとほぼ同様の構成となるので、その説明は省略する。
【００２７】
パーソナルコンピュータ３１０は、ＣＰＵ（Central Processing Unit）３１１と、ＲＯＭ（Read Only Memory）３１２と、ＲＡＭ（Random Access Memory）３１３と、バス３１４と、入出力インタフェース３１５と、入力部３１６と、出力部３１７と、記憶部３１８と、ドライブ３１９と、イーサネットインタフェース（Ethernet I/F）３２０と、ネットワーク端子３２１とを有している。なお、「イーサネット」および「Ｅｔｈｅｒｎｅｔ」は登録商標である。
【００２８】
このパーソナルコンピュータ３１０において、ＣＰＵ３１１、ＲＯＭ３１２、ＲＡＭ３１３は、バス３１４により相互に接続されている。バス３１４には、さらに、入出力インタフェース３１５が接続されている。入出力インタフェース３１５には、入力部３１６、出力部３１７、記憶部３１８およびドライブ３１９が接続されている。
【００２９】
入力部３１６は、キーボード、マウス、マイクロホン等により構成されている。出力部３１７は、ディスプレイ、スピーカ等により構成されている。記憶部３１８は、ＨＤＤ(Hard Disk Drive)、不揮発性メモリ等により構成されている。ドライブ３１９は、磁気ディスク、光ディスク、光磁気ディスク、あるいはメモリカード等のリムーバブルメディアを駆動する。また、バス３１４には、イーサネットインタフェース３２０が接続されている。このイーサネットインタフェース３２０には、ネットワーク端子３２１が接続されている。
【００３０】
図２に示すパーソナルコンピュータ３１０では、ＣＰＵ３１１が、例えば、記憶部３１８に記憶されているプログラムを、入出力インタフェース３１５およびバス３１４を介して、ＲＡＭ３１３にロードして実行することにより、ユーザインタフェース画面の表示制御と、このユーザインタフェース画面上の操作に基づいてソース機器とデストネーション機器の接続制御を行う。この場合、ＣＰＵ３１１は、表示制御部３１１ａおよび接続制御部３１１ｂを構成する。図３は、ＣＰＵ３１１の機能構成図を示している。
【００３１】
［ルーティング（Group Routing）画面］
図４は、接続制御装置（タブレット１０８，２０６、パーソナルコンピュータ３０２，４０２）で表示される、任意のソース機器とデストネーション機器の組み合わせを指定して接続を操作するためのユーザインタフェース画面の一つであるルーティング画面の一例を示している。このルーティング画面は、ワークグループ毎に存在する。矢印５００で示すボタンを操作し、プルダウンメニューから所望のワークグループを選択することで、そのワークグループのルーティング画面を呼び出すことができる。図示の例では、「Workgroup_0001」が選択されている。また、このルーティング画面は、矢印５０１で示すレバーを操作することで、ズーム表示が可能とされている。
【００３２】
このルーティング画面には、複数のソース機器と複数のデストネーション機器とが行列状に配置されている。すなわち、このルーティング画面には、矢印５０２で示すように、上部水平方向に複数のソース機器が並べて配置される。この場合、各ソース機器はアイコンで表示され、機器名などの表示も可能とされている。なお、このアイコンは、ユーザが用意した任意の画像に差し替えることが可能とされる。
【００３３】
また、このルーティング画面には、矢印５０３で示すように、右部垂直方向に複数のデストネーション機器が並べて配置される。この場合、各デストネーション機器はアイコンで表示され、機器名などの表示も可能とされている。なお、このアイコンは、ユーザが用意した任意の画像に差し替えることが可能とされる。
【００３４】
また、ルーティング画面に表示されるソース機器、デストネーション機器のうち、電源オフあるいはフォーマット不一致等で接続不能な状態（非アクティブ状態）にある機器に関しては、その表示状態が他の機器とは異なるようにされる。図示の例においては、矢印５１３に示すように、ソース機器の一つであるカメラ「Cam1-4」は非アクティブ状態にあり、そのアイコンが例えば全体として暗く表示される。また、このとき、このカメラ「Cam1-4」に対応する各クロスポイントの表示も他のクロスポイントとは異なり、例えば暗く表示される。これにより、ユーザは、接続不可能なソース機器とデストネーション機器との組み合わせを予め把握でき、誤った、あるいは接続不可能な組み合わせの選択を回避できる。
【００３５】
また、所定のソース機器と所定のデストネーション機器のクロスポイント（交点）にマウスホバー操作がされるとき、矢印５０４で示すように、当該クロスポイントの表示態様が変化する。図示の例では、当該クロスポイントの矩形枠の枠線が太く表示されるようになる。また、このとき、矢印５０５，５０６で示すように、当該クロスポイントに対応するソース機器およびデストネーション機器の表示態様が変化する。図示の例では、当該ソース機器およびデストネーション機器の矩形枠の枠線が太く表示されるようになる。
【００３６】
また、このとき、マウスホバー操作に反応して、矢印５０７で示すように当該クロスポイントから対応するソース機器に延びるＹ軸ガイドが表示されると共に、矢印５０８で示すように当該クロスポイントから対応するデストネーション機器に延びるＸ軸ガイドが表示される。このようなマウスホバー操作に伴う表示の追加変更により、ユーザは、選択操作しようとしているクロスポイント位置と、その選択操作で接続されるソース機器およびデストネーション機器の確認を効率よく行うことが可能となる。
【００３７】
上述のマウスホバー操作が行われているクロスポイントにおいて、マウスのクリック操作がされて当該クロスポイントの選択操作が行われるとき、当該クロスポイント、さらには対応するソース機器およびデストネーション機器はアクティブ状態となり、これらのソース機器およびデストネーション機器が接続された状態となる。クロスポイントがアクティブ状態となるとき、矢印５０９で示すように、クロスポイントの表示は、アクティブ状態にあることを示す状態となる。また、このとき、矢印５１０で示すようにソース機器の表示はアクティブ状態にあることを示す状態となり、同様に、矢印５１１で示すようにデストネーション機器の表示はアクティブ状態にあることを示す状態となる。
【００３８】
また、アクティブ状態となるソース機器に関して、矢印５１２で示すように、映像信号の出力に応じて、タリーランプが点灯した状態となる。
【００３９】
［グループルーティング（Group Routing）画面］
図５は、接続制御装置（タブレット１０８，２０６、パーソナルコンピュータ３０２，４０２）で表示される、任意のソース機器とデストネーション機器の組み合わせを指定して接続を操作するためのユーザインタフェース画面の一つであるグループルーティング画面の一例を示している。このグループルーティング画面は、ワークグループ毎に存在する。矢印６００で示すボタンを操作し、プルダウンメニューから所望のワークグループを選択することで、そのワークグループのグループルーティング画面を呼び出すことができる。図示の例では、「Workgroup_0001」が選択されている。また、このグループルーティング画面は、矢印６０１で示すレバーを操作することで、ズーム表示が可能とされている。
【００４０】
このグループルーティング画面には、複数のソース機器と複数のデストネーション機器とが行列状に配置されている。すなわち、このルーティング画面には、矢印６０２で示すように、上部水平方向に複数のソース機器が並べて配置される。この場合、各ソース機器はアイコンで表示され、機器名などの表示も可能とされている。なお、このアイコンは、ユーザが用意した任意の画像に差し替えることが可能とされる。
【００４１】
この場合、ソース機器は、予め登録されたループ毎に表示される。各グループにおいて、矢印６０３で示すボタンを操作することで、グループの開閉操作が可能とされている。「グループ開」では、矢印６０４で示すように、グループに含まれる各ソース機器がそれぞれ一つの列に割り当てられて表示される状態となる。一方、「グループ閉」では、矢印６０５で示すように、グループに含まれる各ソース機器が一つの列に割り当てられた状態となる。この場合のアイコンの表示は、ソース機器が複数含まれていることを示すアイコンに変化する。
【００４２】
また、このルーティング画面には、矢印６０６で示すように、右部垂直方向に複数のデストネーション機器が並べて配置される。この場合、各デストネーション機器はアイコンで表示され、機器名などの表示も可能とされている。なお、このアイコンは、ユーザが用意した任意の画像に差し替えることが可能とされる。
【００４３】
この場合、上述したソース機器の表示と同様に、予め登録されたループ毎に表示される。各グループにおいて、矢印６０７で示すボタンを操作することで、グループの開閉操作が可能とされている。「グループ開」では、矢印６０８で示すように、グループに含まれる各ソース機器がそれぞれ一つの列に割り当てられて表示される状態となる。一方、「グループ閉」では、矢印６０９で示すように、グループに含まれる各ソース機器が一つの列に割り当てられた状態となる。この場合のアイコンの表示は、ソース機器が複数含まれていることを示すアイコンに変化する。
【００４４】
なお、予め登録されたソース機器グループとデストネーション機器グループの対応する所定数の機器同士のクロスポイント（交点）はグループ化されている。そのため、グループ化されたクロスポイント（以下、適宜、「クロスポイントグループ」という）にマウスホバー操作がされるとき、矢印６１０で示すように、当該クロスポイントグループの範囲を示す表示がなされる。図示の例では、当該クロスポイントグループの範囲を示す矩形枠の枠線が太く表示されるようになる。
【００４５】
また、このとき、矢印６１１，６１２で示すように、当該クロスポイントグループに対応するソース機器およびデストネーション機器の表示態様が変化する。図示の例では、当該ソース機器およびデストネーション機器の矩形枠の枠線が太く表示されるようになる。また、このとき、マウスホバー操作に反応して、矢印６１３で示すように当該クロスポイントグループから対応するソース機器に延びるＹ軸ガイドが表示されると共に、矢印６１４で示すように当該クロスポイントから対応するデストネーション機器に延びるＸ軸ガイドが表示される。
【００４６】
このようなマウスホバー操作に伴う表示の追加変更により、ユーザは、選択操作しようとしているクロスポイントグループの位置と、その選択操作で接続されるソース機器グループおよびデストネーション機器グループの確認を効率よく行うことが可能となる。なお、ソース機器グループおよびデストネーション機器グループの双方が開いた状態あるクロスポイントグループの範囲には、矢印６１５で示すように、そのクロスポイントグループの選択操作を行った場合にアクティブ状態になるクロスポイントを示すマークが表示される。
【００４７】
上述のマウスホバー操作が行われているクロスポイントグループにおいて、マウスのクリック操作がされて当該クロスポイントグループの選択操作が行われるとき、当該クロスポイントグループ、さらには対応するソース機器グループおよびデストネーション機器グループはアクティブ状態となり、対応する機器同士が接続された状態となる。なお、この場合、機器同士の接続は、右上から左下の方向に向かうようにソース機器とデストネーション機器の組み合わせが設定されるというルールに従ったものとされる。
【００４８】
従って、後述する編集画面（図６参照）において、ソース機器グループまたはデストネーション機器グループにおける機器の順を入れ替える編集を行うことで、ソース機器グループ内の各機器とデストネーション機器グループ内の各機器との接続組み合わせを、変更することが可能となる。
【００４９】
クロスポイントグループがアクティブ状態となるとき、矢印６１６で示すように、クロスポイントグループの表示は、アクティブ状態にあることを示す状態となる。例えば、黒色の状態から青色に変換する。また、矢印６１７に示すように、アクティブ状態になるクロスポイントを示すマークが大きく表示される。また、このとき、矢印６１８で示すようにソース機器グループあるいはそのグループ内の各ソース機器の表示はアクティブ状態にあることを示す状態となり、同様に、矢印６１９で示すように、デストネーション機器グループあるいはそのグループ内の表示はアクティブ状態にあることを示す状態となる。例えば、黒色の状態から青色に変換する。
【００５０】
なお、クロスポイントグループ内の一部のクロスポイントが非アクティブ状態にある場合、クロスポイントグループの表示は、矢印６２０で示すように、クロスポイントグループ内の全てのクロスポイントがアクティブ状態にある場合の表示（矢印６１６で示すクロスポイントグループの表示参照）とは、異なる態様とされる。例えば、ハッチング状態となる。
【００５１】
なお、クロスポイントグループ内の一部のクロスポイントが非アクティブ状態になる場合として、ソース機器グループに例えば電源オフとされてネットワークから切断されたソース機器があるか、デストネーション機器グループに例えば電源オフとされてネットワークから切断されたデストネーション機器がある場合が考えられる。あるいは、他の接続制御装置の制御で、所定のクロスポイントが非アクティブ状態とされる場合が考えられる。
【００５２】
なお、このようなクロスポイントグループの表示の変更は、例えば、他の接続制御装置の制御で、ソース機器グループまたはデストネーション機器グループにおける機器の順を入れ替える編集が行われ、右上から左下の方向に向かうようにソース機器とデストネーション機器の組み合わせが設定されるというルールに反するようになった場合にも行われる。
【００５３】
また、アクティブ状態となるソース機器に関して、矢印６２１で示すように、映像信号の出力に応じて、タリーランプが点灯した状態となる。また、矢印６２２で示す個別選択ボタンを操作することで、一時的に一つ一つの個別のクロスポイントの選択操作が可能となる。
【００５４】
［機器グループ編集画面］
図６は、接続制御装置（タブレット１０８，２０６、パーソナルコンピュータ３０２，４０２）で表示される、ユーザインタフェース画面の一つである機器グループ編集画面の一例を示している。この例は、ソース機器グループの編集画面を示している。矢印７０１で示す「Input」ボタンを操作することで、ソース機器グループの編集画面となる。一方、矢印７０２で示す「Output」ボタンを操作することで、デストネーション機器グループの編集画面となる。ここでは、ソース機器グループの編集画面について説明するが、デストネーション機器グループの編集画面についても同様である。
【００５５】
画面の右側には、矢印７０３で示すように、ネットワークに接続されているソース機器のリストが表示される。矢印７０４で示す「＋」ボタンを操作することで、新規グループの作成が可能とされている。図示の例では、「Media Group 001」から「Media Group xxx」までのグループが既に作成されている。
【００５６】
グループ項目の、矢印７０５で示すボタンを操作することで、グループの開閉が可能となる。図示の例では、「Media Group 001」、「Media Group 002」は開かれており、その他のグループは閉じられている。なお、矢印７０６で示す「全部展開」ボタンを操作することで、全てのグループを開いた状態とすることができる。また、矢印７０７で示す「全部閉じる」ボタンを操作することで、全てのグループを閉じた状態とすることができる。
【００５７】
各グループには、開いた状態で、ソース機器リストから所望のソース機器をドラッグアンドドロップすることで、ソース機器を追加できる。また、矢印７０８で示す「デバイス追加」ボタンを操作することで、ソース機器リストで選択されているソース機器を追加できる。また、ソース機器リストの、矢印７０９で示す「コンテクストメニュー」ボタンを操作することで、ブランクを作成することも可能とされる。
【００５８】
また、グループ内での各ソース機器やブランクの順番は、ドラッグアンドドロップの操作で入れ替えることができる。また、グループ内に存在する所定のソース機器やブランクの削除は、削除対象を選択した状態で、矢印７１０で示す「削除」ボタンを操作して行うことができる。また、この「削除」ボタンにより、不要なグループを同様の操作で削除することもできる。なお、グループ項目部分をドラッグアンドドロップ操作して上下に移動することができ、グループの順番を変更することもできる。
【００５９】
また、矢印７１１で示す「←」/「→」ボタンは、選択されたソース機器の追加/削除のためのボタンである。また、矢印７１２で示す「↑」/「↓」ボタンは、選択されたソース機器またはグループの上下移動を操作するボタンである。
【００６０】
［セッションリスト（Session List）画面］
図７は、接続制御装置（タブレット１０８，２０６、パーソナルコンピュータ３０２，４０２）で表示される、任意のソース機器とデストネーション機器の組み合わせを指定して接続を操作するためのユーザインタフェース画面の一つであるセッションリスト画面の一例を示している。このセッションリスト画面は、ソース機器とデストネーション機器をそれぞれリスト表示して、クロスポイント（交点）を選択する最も原始的な画面である。
【００６１】
このセッションリスト画面は、ワークグループ毎に存在する。矢印８００で示すボタンを操作し、プルダウンメニューから所望のワークグループを選択することで、そのワークグループのセッションリスト画面を呼び出すことができる。図示の例では、「Workgroup_0001」が選択されている。
【００６２】
矢印８０１で示すように、画面の左側上部には、ネットワークに接続されているソース機器とデストネーション機器のリストがそれぞれ表示されている。このリストで、ソース機器とデストネーション機器の組み合わせを選択した後、矢印８０２で示す「登録」ボタンを操作することで、その組み合わせを登録できる。この登録に基づいて、ソース機器とデストネーション機器との接続が制御される。なお、ここで、デストネーション機器の表示箇所から所定のデストネーション機器を選択したとき、ソース機器の表示箇所には、その所定のデストネーション機器と接続可能なソース機器に絞りこまれて表示される。これにより、ユーザは、所定のデストネーション機器と接続可能なソース機器のみを選択することが可能となり、誤った、あるいは接続不可能な組み合わせの選択を回避できる。
【００６３】
矢印８０３で示される表示は、登録されたソース機器とデストネーション機器の組み合わせを示している。なお、登録されたソース機器とデストネーション機器の組み合わせの一つを選択した後、矢印８０４で示す「呼出」ボタンを操作することで、その組み合わせをリストに呼び出すことができる。画面の右側には、矢印８０５で示すように、現在アクティブになっている、つまり接続されているソース機器とデストネーション機器との組み合わせが表示される。
【００６４】
図８は、接続制御装置（タブレット１０８，２０６、パーソナルコンピュータ３０２，４０２）で表示される、ユーザインタフェース画面の一つであるトポロジーマップ（Topology map）画面の一例を示している。この画面は、ネットワークの接続状態と各端子にかかる負荷を一覧することができる画面である。この例は、ソース機器としての複数台のカメラと、デストネーション機器しての１台のモニタと、２台のスイッチングハブ（ネットワークスイッチ）によりネットワークが構成されている場合を示している。
【００６５】
矢印９００で示すように、スイッチングハブの入出力の各端子に対応して負荷表示部が設けられており、ここに、各端子における負荷が横棒（例えば緑色のバー）の積み重ね量によって表示される。ユーザは、このトポロジーマップ画面により現在のネットワークの接続状態を閲覧することが可能となる。また、ユーザは、このトポロジーマップ画面によりスイッチングハブの入出力の各端子における負荷の状態を閲覧でき、負荷が高い場合には、その端子に接続されるケーブルを、帯域を十分に確保できるような太いケーブルに取り換えるなどの処置を講じることが可能となる。
【００６６】
なお、このトポロジーマップ画面において、各機器の表示部分をマウスクリックすることで、その機器のプロパティの表示が可能となる。図示の例では、矢印９０１で示すように、カメラ２（Camera 2）のプロバティが表示されている。
【００６７】
上述したように、図１に示す映像システム１０において、接続制御装置（タブレット１０８，２０６、パーソナルコンピュータ３０２，４０２）は、ユーザインタフェース画面としてグループルーティング画面（図５参照）を表示できる。そして、ユーザは、このグループルーティング画面上で所望のクロスポイントグループの選択操作をすることで、対応する所定数の機器同士を同時に接続させることが可能となる。従って、ユーザは接続操作を所定数だけ繰り返すことが必要なく、ユーザの便宜を図ることができる。
【００６８】
＜２．変形例＞
なお、上述実施の形態においては、本技術を放送局内の映像システムに適用した例を示した。本技術は、医療あるいは教育などにおける同様の映像システムにも同様に適用できることは勿論である。
【００６９】
また、本技術は、以下のような構成を取ることもできる。
（１）ネットワークに接続されたソース機器とデストネーション機器との接続を制御する接続制御装置であって、
所定数の上記ソース機器と所定数の上記デストネーション機器から任意のソース機器とデストネーション機器の組み合わせを指定して接続を操作するためのユーザインタフェース画面を表示する表示制御部と、
上記ユーザインタフェース画面上の操作に基づいてソース機器とデストネーション機器の接続を制御する接続制御部を備え、
上記ユーザインタフェース画面には、行列の一の方向に複数のソース機器が配置され、他の方向に複数のデストネーション機器が配置され、
予め登録されたソース機器グループとデストネーション機器グループの対応する所定数の機器同士の交点はグループ化され、
上記接続制御部は、
上記ユーザインタフェース画面の上記グループ化された交点の選択操作があるとき、上記所定数の機器同士が同時に接続されるように制御する
接続制御装置。
（２）上記表示制御部は、
上記グループ化された交点にホバー操作がされるとき、上記ユーザインタフェース画面に該グループ化された交点の範囲を示す表示を行う
前記（１）に記載の接続制御装置。
（３）上記表示制御部は、
上記グループ化された交点にホバー操作がされるとき、上記グループ化された交点に対応した上記ソース機器グループおよび上記デストネーション機器グループに含まれる各機器の表示態様を変更する
前記（２）に記載の接続制御装置。
（４）上記表示制御部は、
上記グループ化された交点の選択操作がされるとき、上記ユーザインタフェース画面における該グループ化された交点の範囲を示す表示を上記ホバー操作がされたときとは異なるように変更する
前記（３）に記載の接続制御装置。
（５）上記表示制御部は、
上記ソース機器グループ内にネットワークから切断されたソース機器があるとき、または上記デストネーション機器グループ内にネットワークから切断されたデストネーション機器があるとき、上記グループ化された交点の選択操作がなされた後の上記ユーザインタフェース画面における該グループ化された交点の範囲を示す表示を、全ての機器がネットワークにつながっているときとは異なる態様に変更する
前記（４）に記載の接続制御装置。
（６）上記表示制御部は、
上記ソース機器グループ内のソース機器と上記デストネーション機器グループ内の所定のデストネーション機器との間の接続が切断されるとき、上記グループ化された交点の選択操作がなされた後の上記ユーザインタフェース画面における該グループ化された交点の範囲を示す表示を、全ての機器同士が接続されているときとは異なる態様に変更する
前記（４）に記載の接続制御装置。
（７）上記ソース機器グループまたは上記デストネーション機器グループにおける機器の順を入れ替える編集部をさらに備える
前記（１）から（６）のいずれかに記載の接続制御装置。
（８）上記表示制御部は、
上記ユーザインタフェース画面に、上記複数のソース機器のそれぞれに対応して、タリーランプを表示する
前記（１）から（７）のいずれかに記載の接続制御装置。
（９）ネットワークに接続されたソース機器とデストネーション機器との接続を制御する接続制御方法であって、
所定数の上記ソース機器と所定数の上記デストネーション機器から任意のソース機器とデストネーション機器の組み合わせを指定して接続を操作するためのユーザインタフェース画面を表示する表示制御ステップと、
上記ユーザインタフェース画面上の操作に基づいてソース機器とデストネーション機器の接続を制御する接続制御ステップを有し、
上記ユーザインタフェース画面には、行列の一の方向に複数のソース機器が配置され、他の方向に複数のデストネーション機器が配置され、
予め登録されたソース機器グループとデストネーション機器グループの対応する所定数の機器同士の交点はグループ化され、
上記接続制御ステップでは、
上記ユーザインタフェース画面の上記グループ化された交点の選択操作があるとき、上記所定数の機器同士が同時に接続されるように制御する
接続制御方法。
【符号の説明】
【００７０】
１０・・・映像システム
１０１，１０２，２０１，２０２・・・カメラ
１０３・・・映像再生機器
１０４，１０５，２０３，２０４・・・モニタ
１０６・・・映像記録機器
１０７，２０５，３０１・・・スイッチングハブ
１０８，２０６・・・タブレット
３０２，３１０,４０２・・・パーソナルコンピュータ
４０１・・・インターネット
【図１】
2015198403.tif 000003
【図２】
2015198403.tif 000004
【図３】
2015198403.tif 000005
【図４】
2015198403.tif 000006
【図５】
2015198403.tif 000007
【図６】
2015198403.tif 000008
【図７】
2015198403.tif 000009
【図８】
2015198403.tif 000010